(57)【要約】【課題】  行動の制限を受けずに検索結果を確認できる環境を提供すること。【解決手段】  検索要求及び検索結果の配信先と配信時間帯を対応づけた配信情報を受信し、該検索要求に基づいた検索が終了した時刻と対応する配信時間帯に対応づけられた配信先に、検索結果を送信する。【選択図】  図２
2005189957.tif 000002
【特許請求の範囲】
【請求項１】
検索要求及び検索結果の配信先と配信時間帯を対応づけた配信情報を受信する受信工程と、
前記検索要求に基づいた検索の終了時刻と対応する配信時間帯に対応づけられた配信先に、検索結果を送信する送信工程とを有することを特徴とする情報処理方法。
【請求項２】
検索要求及び検索結果の配信先と配信時間帯を対応づけた配信情報を入力する入力工程と、
前記入力工程で入力した検索要求及び配信情報に基づいて実行されている検索処理の情報を表示する表示工程と、
前記表示工程で表示された検索処理の情報から任意の検索処理を選択する選択工程と、
前記選択工程で選択された検索処理の配信情報を変更する変更工程とを有することを特徴とする情報処理方法。
【請求項３】
検索要求及び検索結果の配信先と配信時間帯を対応づけた配信情報を受信する受信手段と、
前記検索要求に基づいた検索の終了時刻と対応する配信時間帯に対応づけられた配信先に、検索結果を送信する送信手段とを有することを特徴とする情報処理装置。
【請求項４】
検索要求及び検索結果の配信先と配信時間帯を対応づけた配信情報を入力する入力手段と、
前記入力手段で入力した検索要求及び配信情報に基づいて実行されている検索処理の情報を表示する表示手段と、
前記表示手段で表示された検索処理の情報から任意の検索処理を選択する選択手段と、
前記選択手段で選択された検索処理の配信情報を変更する変更手段とを有することを特徴とする情報処理装置。
【請求項５】
請求項１乃至２のいずれか１つに記載の情報処理方法をコンピュータに実行させるための制御プログラム。
【請求項６】
請求項５に記載の制御プログラムを格納したことを特徴とするコンピュータ読み取り可能な記憶媒体。
【発明の詳細な説明】
【技術分野】
【０００１】
複数の情報から所定の情報を検索する情報検索装置等に関する。
【背景技術】
【０００２】
近年、大量の電子データを扱う機会が増加し、所望の電子データを検索する手段も多種多様になってきている。検索対象が大量に存在し、同時に多数の複雑な検索要求に対して検索結果を得るためにある程度時間を必要する場合がある。また分散検索のように検索対象を動的に拡大し検索することもあり検索結果がそろうまでに待たされる場合も存在する。特許文献１のように指定した時間までに検索結果を作成し配信するようなものも考えられている。
【特許文献１】特開２００１−１０１２１１号公報
【発明の開示】
【発明が解決しようとする課題】
【０００３】
しかしながら、席をはずさなければならないが、いつ検索が終了するかわからない。しかも検索結果はすぐに確認したい場合、戻ってくるまで結果の確認ができなかった。このように検索結果は、通常は検索要求した装置に表示するか、異なった機器に配信していたため、すぐに結果を確認したい場合、行動が制約されていた。
【課題を解決するための手段】
【０００４】
上記目的を達成するために、本発明は検索要求及び検索結果の配信先と配信時間帯を対応づけた配信情報を受信する受信工程と、前記検索要求に基づいた検索の終了時刻と対応する配信時間帯に対応づけられた配信先に、検索結果を送信する送信工程とを有することを特徴とする。
【０００５】
また本発明は、検索要求及び検索結果の配信先と配信時間帯を対応づけた配信情報を入力する入力工程と、前記入力工程で入力した検索要求及び配信情報に基づいて実行されている検索処理の情報を表示する表示工程と、前記表示工程で表示された検索処理の情報から任意の検索処理を選択する選択工程と、前記選択工程で選択された検索処理の配信情報を変更する変更工程とを有することを特徴とする。
【０００６】
また本発明は、検索要求及び検索結果の配信先と配信時間帯を対応づけた配信情報を受信する受信手段と、前記検索要求に基づいた検索の終了時刻と対応する配信時間帯に対応づけられた配信先に、検索結果を送信する送信手段とを有することを特徴とする。
【０００７】
また本発明は、検索要求及び検索結果の配信先と配信時間帯を対応づけた配信情報を入力する入力手段と、前記入力手段で入力した検索要求及び配信情報に基づいて実行されている検索処理の情報を表示する表示手段と、前記表示手段で表示された検索処理の情報から任意の検索処理を選択する選択手段と、前記選択手段で選択された検索処理の配信情報を変更する変更手段とを有することを特徴とする。
【発明の効果】
【０００８】
本発明によれば、情報検索において、時間と配信先の組合せを指定することで、ユーザの利便性を大幅に向上させ、行動の制限を受けずに検索結果を確認することが可能になる。
【発明を実施するための最良の形態】
【０００９】
以下、図面を参照して本発明の実施の形態を説明する。
【実施例１】
【００１０】
図１は、本発明の実施例１に係る情報処理装置の構成を示すブロック図である。この情報処理部は、プログラムに従って処理を実行する中央処理部１と、検索対象となる文書やアノテーション付き画像等のほか、プログラムや辞書の納まっているデータベース等の記憶部２と、処理を操作するキーボードやマウス等の入力部３と、検索結果を表示する表示部４と、ＦＤ（フロッピー（登録商標）ディスク）、ＣＤ−ＲＯＭ、ＲＯＭ及び磁気テープ等の記録媒体に記憶されたプログラムやデータ等を記憶部２に読み取る記憶媒体読取部５とで構成されている。また、情報検索部は、ネットワーク回線に接続されている。
【００１１】
次に、本実施例の検索動作の概要を説明する。図２は、検索配信処理を示すフローチャートである。まず、入力部３によりクエリーを取得し（ステップＳ２１）、次に検索結果配信先と時間の組合せ（配信先判定条件）の取得を行う（ステップＳ２２）。さらに、ステップＳ２１で取得したクエリーに基づき記憶部２から検索を行う（ステップＳ２３）。現在の時刻を取得する（ステップＳ２４）。ステップＳ２４で取得した検索終了時刻から配信先を選択する（ステップＳ２５）。ステップＳ２５で選択した配信先に検索結果を配信する（ステップＳ２６）。
【００１２】
次に、上述した各フローチャートで説明した処理で実現される本実施例の検索動作について、表示例を参照しつつ具体的に説明する。まず、表示部４に図８のようなダイアログを表示し、入力部３からクエリーを入力する。ここでは「１月の議事録」と入力し、クエリーとして「１月の議事録」を取得する（ステップＳ２１）。次に入力部３から配信先を指定する。ここでは「１７：００」「まで」「実験室ＰＣ１」と「１７：００」「以降」「自宅ＰＣ」を指定し、「検索終了時刻」が「１７：００」より前なら配信先「実験室ＰＣ１」、「検索終了時刻」が「１７：００」より後なら配信先「自宅ＰＣ」を取得する（ステップＳ２２）。次にＳ２１で取得したクエリー「１月の議事録」を検索する（ステップＳ２３）。ここでは検索対象として図３のようなファイルが記憶部２に格納されており、７つのファイルが検索されることとする。次に現在の時刻「１７：３４」を取得する（ステップＳ２４）。検索終了時刻「１７：３４」であるためステップＳ２２で取得した配信先判定条件から配信先「自宅ＰＣ」を選択する（ステップＳ２５）。ステップＳ２５で選択した配信先「自宅ＰＣ」に図４のようなステップＳ２３の検索結果を配信する（ステップＳ２６）。
【００１３】
またステップ２４で検索終了時刻が「１５：２０」なら配信先「実験室ＰＣ１」を選択し、配信先「実験室ＰＣ１」に検索結果を配信する。
【００１４】
以上のような構成とすることで、行動の制限を受けずに動的に検索結果を確認することが可能になる。
【００１５】
なお、検索手法はテキストによるキーワード検索、全文検索、類似概念検索、キーワードのリレーション検索、画像の類似検索、音声検索、動画検索等のように目的、対象や手法によらないあらゆる検索が適用できる。また、ローカルな検索、サーバサイドの検索、分散検索等の機構にも依存しない。
【実施例２】
【００１６】
実施例２に係る情報検索手順を示すフローチャートである。次に、本実施例の検索動作の概要を説明する。図５は、検索配信先変更処理を示すフローチャートである。
【００１７】
まず、検索先に対して検索実行履歴を取得し（ステップＳ５１）、次に検索一覧の表示を行う（ステップＳ５２）。一覧から選択された変更対象を取得する（ステップＳ５３）。変更対象の配信先判定条件を取得する（ステップＳ５４）。配信先判定条件を表示する（ステップＳ５５）。変更後の配信先判定条件を取得する（ステップＳ５６）。変更後の配信先判定条件を設定する（ステップＳ５７）。
【００１８】
次に、上述した各フローチャートで説明した処理で実現される本実施例の検索動作について、表示例を参照しつつ具体的に説明する。まず、検索を依頼したマシンに対してクエリーや配信判定条件など検索実行履歴の取得する（ステップＳ５１）。表示部４に図６のような検索処理一覧を表示する（ステップＳ５２）。ステップＳ５２で表示部４に表示した一覧から入力部３より変更したい検索処理を選択し、変更対象を取得する（ステップＳ５３）。クエリー「１月の議事録」の検索に対する配信先判定条件を変更すると選択されたとする。ステップＳ５３で取得した変更対象の配信先判定条件を取得する（ステップＳ５４）。クエリー「１月の議事録」の配信先判定条件として「１７：００」「まで」「実験室ＰＣ１」と「１７：００」「以降」「自宅ＰＣ」を取得する。図９のように表示部４にステップＳ５４で取得した配信先判定条件を表示する（ステップＳ５５）。次に図７のような変更後の配信先判定条件として「１７：００」「まで」「実験室ＰＣ１」と「１７：００」から「１９：００」「ＭＹ  ＰＣ」と「１９：００」「以降」「自宅ＰＣ」を取得する（ステップＳ５６）。次にステップＳ５６で取得した配信先判定条件「１７：００」「まで」「実験室ＰＣ１」と「１７：００」から「１９：００」「ＭＹ  ＰＣ」と「１９：００」「以降」「自宅ＰＣ」を設定する（ステップＳ５７）。
【００１９】
以上のような一度設定した配信先情報を動的に変化させることでより自由度のある検索結果の確認法を提供することが可能になる。
【００２０】
なお、本発明は、上述した実施例の装置に限定されず、複数の機器から構成されるシステムに適用してもよい。前述した実施例の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００２１】
この場合、記憶媒体から読み出されたプログラムコード自体が前述した実施例の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施例の機能が実現されるだけではなく、そのプログラムコードの指示に基づき、コンピュータ上で稼動しているＯＳなどが実際の処理の一部または全部を行い、その処理によって前述した実施例の機能が実現される場合も含まれることは言うまでもない。
【００２２】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施例の機能が実現される場合も含まれることは言うまでもない。
【図面の簡単な説明】
【００２３】
【図１】本発明の実施例１に係る情報検索装置の構成を示すブロック図である。
【図２】本発明の実施例１に係る検索配信手順を示すフローチャートである。
【図３】本発明の実施例１に係るファイル名を示す図である。
【図４】検索結果の表示例である。
【図５】本発明の実施例２に係る配信先変更手順を示すフローチャートである。
【図６】検索実行一覧の表示例である。
【図７】配信先変更後の入力状態の例を示す図である。
【図８】配信先指定を含む入力状態の例を示す図である。
【図９】配信先変更前の入力状態の例を示す図である。
【符号の説明】
【００２４】
１  中央処理部
２  記憶部
３  入力部
４  表示部
５  記憶媒体読取部
【図１】
2005189957.tif 000003
【図２】
2005189957.tif 000004
【図３】
2005189957.tif 000005
【図４】
2005189957.tif 000006
【図５】
2005189957.tif 000007
【図６】
2005189957.tif 000008
【図７】
2005189957.tif 000009
【図８】
2005189957.tif 000010
【図９】
2005189957.tif 000011